【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
電力通信媒体から電力を受け取ることによって、前記ネットワーク要素に給電するステップと、
サービス通信媒体を介して、電気通信サービスを提供するステップと、
前記ネットワーク要素の給電に関連する基本変数を介して、管理情報を受け取るステップと、
前記ネットワーク要素の給電に関連する前記基本変数を監視するステップと、
前記基本変数に基づいて前記ネットワーク要素の給電を制御するステップと
を含むネットワーク要素における電力を制御する方法。
【請求項２】
前記電力通信媒体と前記サービス通信媒体とが同じ通信媒体に含まれる、請求項１に記載の方法。
【請求項３】
前記電力通信媒体が少なくとも１つのより線対電話回線を含む、請求項１に記載の方法。
【請求項４】
前記ネットワーク要素がアクセスネットワーク内に配置される、請求項１に記載の方法。
【請求項５】
前記ネットワーク要素が顧客所在地に配置される、請求項１に記載の方法。
【請求項６】
前記基本変数に基づいて前記ネットワーク要素の給電を制御する前記ステップが、電力に関連するパラメータを調整するステップを含む、請求項１に記載の方法。
【請求項７】
電力に関連するパラメータを調整する前記ステップが、前記ネットワーク要素が使用する電力を調整するステップを含む、請求項６に記載の方法。
【請求項８】
前記ネットワーク要素が使用する電力を調整する前記ステップが、前記ネットワーク要素の少なくとも一部を低電力モードで動作させるステップを含む、請求項７に記載の方法。
【請求項９】
前記サービス通信媒体を介して前記電気通信サービスを提供する前記ステップが、前記サービス通信媒体を介して複数の電気通信サービスを提供するステップを含み、前記ネットワークの少なくとも一部を低電力モードで動作させる前記ステップが、複数の電気通信の少なくとも１つを低下モードで動作させるステップを含む、請求項８に記載の方法。
【請求項１０】
低下モードで動作する前記複数の電気通信サービスの前記少なくとも１つが、低い優先順位を有する、請求項９に記載の方法。
【請求項１１】
前記ネットワーク要素の前記少なくとも一部を低電力モードで動作させる前記ステップが、前記ネットワーク要素の前記少なくとも一部を低電力モードの低クロックレートで動作させるステップを含む、請求項８に記載の方法。
【請求項１２】
前記ネットワーク要素が使用する電力を調整する前記ステップが、前記ネットワーク要素の少なくとも一部の機能を停止するステップを含む、請求項７に記載の方法。
【請求項１３】
前記サービス通信媒体を介して前記電気通信サービスを提供する前記ステップが、前記サービス通信媒体を介して複数の電気通信サービスを提供するステップを含み、前記ネットワーク要素の前記少なくとも一部の機能を停止する前記ステップが、前記複数の電気通信サービスの少なくとも１つを停止するステップを含む、請求項１２に記載の方法。
【請求項１４】
停止した前記複数の電気通信サービスの前記少なくとも１つが低い優先順位を有する、請求項１３に記載の方法。
【請求項１５】
前記電力に関連するパラメータが、前記電力通信媒体の電力転送効率を含む、請求項６に記載の方法。
【請求項１６】
前記基本変数に基づいて前記ネットワーク要素の給電を制御する前記ステップが、前記電力通信媒体の前記電力転送効率を最適化するため前記電力に関連するパラメータを調整するステップを含む、請求項１５に記載の方法。
【請求項１７】
前記電力に関連するパラメータが、前記電力通信媒体の電力損失を含む、請求項６に記載の方法。
【請求項１８】
前記電力に関連するパラメータを調整する前記ステップが、前記ネットワーク要素にフルパワーで給電するには前記電力通信媒体からの電力が不十分であることを前記基本変数が示す場合、前記電力に関連するパラメータを調整するステップを含む、請求項６に記載の方法。
【請求項１９】
さらに、電力ヘッドルーム値を計算するステップを含み、前記電力に関連するパラメータを調整する前記ステップが、計算された前記電力ヘッドルーム値に基づいて前記電力に関連するパラメータを調整するステップを含む、請求項６に記載の方法。
【請求項２０】
さらに、前記ネットワーク要素が使用する電力を計算するステップを含む、請求項１に記載の方法。
【請求項２１】
前記ネットワーク要素が使用する電力を計算する前記ステップが、前記電力通信媒体から利用可能な電力の合計ワット数に対する前記ネットワーク要素が使用する電力の割合、及び前記ネットワーク要素が使用する電力のワット数の少なくとも１つを計算するステップを含む、請求項２０に記載の方法。
【請求項２２】
前記ネットワーク要素が使用する電力を計算する前記ステップが、前記基本変数から電力ヘッドルーム値を推定するステップを含む、請求項２０に記載の方法。
【請求項２３】
前記基本変数から前記電力ヘッドルーム値を推定する前記ステップが、前記電力ヘッドルーム値を反復して推定するステップを含む、請求項２２に記載の方法。
【請求項２４】
さらに、前記基本変数に基づいて複数の通信媒体のどれから電力を受け取るかを決定するステップを含む、請求項１に記載の方法。
【請求項２５】
前記基本変数に基づいて前記複数の通信媒体のどれから電力を受け取るかを決定する前記ステップが、前記複数の電力通信媒体の１つが低下しているかを決定するステップと、前記低下した電力通信媒体以外の少なくとも１つの電力通信媒体から電力を受け取るべきであると決定するステップとを含む、請求項２４に記載の方法。
【請求項２６】
さらに、前記基本変数に基づいて前記電力通信媒体上でインパルス過渡事象が発生した時点を決定するステップを含む、請求項１に記載の方法。
【請求項２７】
さらに、前記電力通信媒体上で前記インパルス過渡事象が発生した時点で、前記インパルス過渡事象をフィルタリングするステップを含む、請求項２６に記載の方法。
【請求項２８】
前記インパルス過渡事象をフィルタリングする前記ステップが、前記ネットワーク要素が使用する電圧及び前記ネットワーク要素が使用する電流の少なくとも１つを調整するステップを含む、請求項２７に記載の方法。
【請求項２９】
さらに、
前記電力通信媒体から受け取った電力を貯蔵するステップと、
前記電力通信媒体上で供給される電力が中断した時点を決定するステップと、
前記電力通信媒体上で供給される電力が中断した時点で前記貯蔵した電力を使用して前記ネットワーク要素に給電するステップとを含む、請求項１に記載の方法。
【請求項３０】
さらに、電力を第２の電力通信媒体に供給するステップを含む、請求項１に記載の方法。
【請求項３１】
ネットワーク要素における電力を制御する方法であって、
電力通信媒体に電力を供給するステップと、
サービス通信媒体を介して電気通信サービスを提供するステップと、
前記電力通信媒体への電力の供給に関連する基本変数を介して、管理情報を受け取るステップと、
前記電力通信媒体への電力の供給に関連する前記基本変数を監視するステップと、
前記基本変数に基づいて前記電力通信媒体に電力を供給するステップとを含む方法。
【請求項３２】
前記電力通信媒体への電力の供給に関連する前記基本変数を監視する前記ステップが、
電力のしきい値レベルを決定するステップと、
前記ネットワーク要素によって前記電力通信媒体に供給するため、現在利用可能な電力の量を決定するステップと、
前記しきい値レベルと前記電力通信媒体に供給するため、現在利用可能な電力との間に所定の関係が存在する場合、前記ネットワーク要素の電力に関連する属性を調整するステップとを含む、請求項３１に記載の方法。
【請求項３３】
前記しきい値レベルが、所定の最大電力レベルで前記電力通信媒体に電力を供給するために必要な電力の量である、請求項３２に記載の方法。
【請求項３４】
前記しきい値レベルが、シンクネットワーク要素が前記電力通信媒体から所定のサービスレベルで所定の組み合わせの電気通信サービスを提供するのに十分な電力を受け取るように、前記電力通信媒体上で十分な電力を提供するために前記ネットワーク要素が必要とする電力の量である、請求項３２に記載の方法。
【請求項３５】
電力の前記しきい値レベルが、前記ネットワーク要素の様々な動作パラメータに基づいて前記ネットワーク要素の動作中動的に決定される、請求項３２に記載の方法。
【請求項３６】
前記ネットワーク要素によって前記電力通信媒体に供給するため現在利用可能な電力の量を決定する前記ステップが、
１つかそれ以上の電力に関連する属性を測定するステップと、
前記電力通信媒体に供給するため現在利用可能な電力を計算するステップとを含む請求項３２に記載の方法。
【請求項３７】
前記１つかそれ以上の測定される電力に関連する属性が、前記ネットワーク要素に結合した電力供給部によって供給される電流と、前記ネットワーク要素に結合した電力供給部によって供給される電圧との少なくとも１つを含む、請求項３６に記載の方法。
【請求項３８】
前記ネットワーク要素の前記電力に関連する属性を調整する前記ステップが、現在利用可能な電力の量が前記しきい値レベルより大きい場合、前記電力通信媒体に供給される電力の量を増大するステップを含む、請求項３２に記載の方法。
【請求項３９】
前記ネットワーク要素の前記電力に関連する属性を調整する前記ステップが、現在利用可能な電力の量が所定の最大電力を前記電力通信媒体に印加するのに必要な電力より大きい時、前記電力通信媒体に供給される電力レベルを増大するステップを含む、請求項３２に記載の方法。
【請求項４０】
前記ネットワーク要素の前記電力に関連する属性を調整する前記ステップが、現在利用可能な電力の量が所定の最大電力を前記電力通信媒体に印加するのに必要な電力より大きい場合、前記電力通信媒体の電力転送効率を改善するステップを含む、請求項３２に記載の方法。
【請求項４１】
前記ネットワーク要素の前記電力に関連する属性を調整する前記ステップが、現在利用可能な電力の量が所定の最大電力を前記電力通信媒体に印加するのに必要な電力より大きい場合、前記電力通信媒体の電力損失を低減するステップを含む、請求項３２に記載の方法。
【請求項４２】
前記ネットワーク要素の前記電力に関連する属性を調整する前記ステップが、前記ネットワーク要素の動作中、１つかそれ以上の電力に関連する属性に基づいて前記電力通信媒体に印加される出力電圧を動的に調整するステップを含む、請求項３２に記載の方法。
【請求項４３】
前記基本変数に基づいて前記電力通信媒体への電力の供給を制御する前記ステップが、
電力が供給される複数の通信媒体から少なくとも１つの通信媒体を選択するステップと、
前記選択した通信媒体上で電力を供給するステップとを含む、請求項３１に記載の方法。
【請求項４４】
電力が供給される前記少なくとも１つの通信媒体を選択する前記ステップが、どの通信媒体が電力を供給するのに適しているかを決定するステップと、電力を供給するのに適した通信媒体の部分集合から前記少なくとも１つの通信媒体を選択するステップとを含む、請求項４３に記載の方法。
【請求項４５】
電力が供給される前記少なくとも１つの通信媒体を選択する前記ステップが、前記通信媒体の少なくとも１つをプロファイリングするステップを含む、請求項４３に記載の方法。
【請求項４６】
前記基本変数に基づいて前記電力通信媒体への電力の供給を制御する前記ステップが、
接地不良条件を検出するステップと、
接地不良条件が検出された時点で前記電力通信媒体上で供給される電力を低減するステップとを含む、請求項３１に記載の方法。
【請求項４７】
前記電力通信媒体への電力の供給に関連する前記基本変数を監視する前記ステップが、起動トリガ条件を検出するステップを含む、請求項３１に記載の方法。
【請求項４８】
前記基本変数に基づいて前記電力通信媒体への電力の供給を制御する前記ステップが、起動トリガ条件が検出された時点で、前記電力通信媒体上での電力の供給を開始するステップを含む、請求項４７に記載の方法。
【請求項４９】
前記電力通信媒体への電力の供給に関連する前記基本変数を監視する前記ステップが、１つかそれ以上の基本変数に基づいて過渡事象が発生した時点を決定するステップを含む、請求項３１に記載の方法。
【請求項５０】
前記基本変数に基づいて前記電力通信媒体への電力の供給を制御する前記ステップが、前記過渡事象が発生した時点で前記過渡事象に応答して前記ネットワーク要素の少なくとも１つの電力に関連する属性を調整するステップを含む、請求項４９に記載の方法。
【請求項５１】
１つかそれ以上の基本変数に基づいて前記過渡事象が発生した時点を決定する前記ステップが、電力に関連する属性の変化率が変化率のしきい値より大きく変化した時点を検出するステップを含む、請求項４９に記載の方法。
【請求項５２】
前記過渡事象が発生した時点で前記過渡事象に応答するため前記ネットワーク要素の少なくとも１つの電力に関連する属性を調整する前記ステップが、前記過渡事象をフィルタリングするステップを含む、請求項５１に記載の方法。
【請求項５３】
前記過渡事象をフィルタリングする前記ステップが、前記電力に関連する属性の変化率を制限するステップを含む、請求項５２に記載の方法。